(57)【要約】【課題】低消費電力でかつ屋外および屋内で現在位置を取得する。【解決手段】制御部１０３は、ＧＰＳ受信部１０１が受信しているＧＰＳ衛星信号の信号強度が所定の値よりも低く、かつ、ＷＬＡＮ送受信部１０２がＡＰから応答を取得した場合に、ＧＰＳ受信部１０１への電源供給を停止するとともに、応答したＡＰの位置情報を現在位置として取得する。【選択図】図１
2013200279.tif 000002
【特許請求の範囲】
【請求項１】
ＧＰＳ衛星信号を受信するＧＰＳ受信部と、
屋内のみで使用される周波数帯にて、基地局より当該基地局の設置位置を示す位置情報を含む基地局信号を受信する無線信号受信部とを備え、
上記ＧＰＳ受信部が受信した上記ＧＰＳ衛星信号の強度が所定の値より大きいか否かと、上記無線信号受信部が上記基地局信号を受信したか否かとをそれぞれ判定する判定手段と、
上記判定手段が、上記ＧＰＳ衛星信号の強度が所定の値よりも大きいと判定した場合に、当該ＧＰＳ衛星信号に基づいて現在位置を取得する一方、上記判定手段が、上記ＧＰＳ衛星信号の強度が所定の値よりも小さく、かつ、上記無線信号受信部が上記基地局信号を受信したと判定した場合に、当該基地局信号に含まれる位置情報を現在位置として取得する現在位置取得手段と、
上記判定手段が、上記ＧＰＳ衛星信号の強度が所定の値よりも小さく、かつ、上記無線信号受信部が上記基地局信号を受信したと判定した場合に、上記ＧＰＳ受信部への電源供給を停止する電源供給停止手段と、を備えることを特徴とする通信端末装置。
【請求項２】
ＧＰＳ衛星信号を受信するＧＰＳ受信部と、
屋内のみで使用される周波数帯にて、基地局より当該基地局の設置位置を示す位置情報を含む基地局信号を受信する無線信号受信部と、
自装置の周囲の照度を検出する照度検出部とを備え、
上記ＧＰＳ受信部が受信した上記ＧＰＳ衛星信号の強度が所定の値より大きいか否かと、上記無線信号受信部が上記基地局信号を受信したか否かと、上記照度検出部が検出した照度が所定の範囲に含まれるか否かとをそれぞれ判定する判定手段と、
上記判定手段が、上記ＧＰＳ衛星信号の強度が所定の値よりも大きいと判定した場合に、当該ＧＰＳ衛星信号に基づいて現在位置を取得する一方、上記判定手段が、上記ＧＰＳ衛星信号の強度が所定の値よりも小さく、かつ、上記無線信号受信部が上記基地局信号を受信し、かつ、上記照度検出部が検出した照度が所定の範囲に含まれると判定した場合に、当該基地局信号に含まれる位置情報を現在位置として取得する現在位置取得手段と、
上記判定手段が、上記ＧＰＳ衛星信号の強度が所定の値よりも小さく、かつ、上記無線信号受信部が上記基地局信号を受信し、かつ、上記照度検出部が検出した照度が所定の範囲に含まれると判定した場合に、上記ＧＰＳ受信部への電源供給を停止する電源供給停止手段と、を備えることを特徴とする通信端末装置。
【請求項３】
上記無線信号受信部は、ＷＬＡＮ信号の周波数帯区分におけるＷ５２タイプおよびＷ５３タイプの信号によって、上記基地局信号を受信することを特徴とする請求項１または２記載の通信端末装置。
【請求項４】
請求項１から３のいずれか１項に記載の通信端末装置を動作させるための制御プログラムであって、コンピュータを上記の各手段として機能させるための制御プログラム。
【請求項５】
請求項４に記載の制御プログラムを記録したコンピュータ読み取り可能な記録媒体。
【請求項６】
ＧＰＳ衛星信号を受信するＧＰＳ受信部と、屋内のみで使用される周波数帯にて、基地局より当該基地局の設置位置を示す位置情報を含む基地局信号を受信する無線信号受信部とを備えた通信端末装置の制御方法において、
上記ＧＰＳ受信部が受信した上記ＧＰＳ衛星信号の強度が所定の値より大きいか否かを判定する第１の判定ステップと、
上記無線信号受信部が上記基地局信号を受信したか否かを判定する第２の判定ステップと、
上記第１の判定ステップにて、上記ＧＰＳ衛星信号の強度が所定の値よりも大きいと判定した場合に、当該ＧＰＳ衛星信号に基づいて現在位置を取得する一方、上記第１の判定ステップにて、上記ＧＰＳ衛星信号の強度が所定の値より小さいと判定し、かつ、上記第２の判定ステップにて、上記無線信号受信部が上記基地局信号を受信したと判定した場合に、当該基地局信号に含まれる位置情報を現在位置として取得する現在位置取得ステップと、
上記第１の判定ステップにて、上記ＧＰＳ衛星信号の強度が所定の値よりも小さいと判定し、かつ、上記第２の判定ステップにて、上記無線信号受信部が上記基地局信号を受信したと判定した場合に、上記ＧＰＳ受信部への電源供給を停止する電源供給停止ステップと、を含むことを特徴とする通信端末装置の制御方法。
【請求項７】
ＧＰＳ衛星信号を受信するＧＰＳ受信部と、屋内のみで使用される周波数帯にて、基地局より当該基地局の設置位置を示す位置情報を含む基地局信号を受信する無線信号受信部と、自装置の周囲の照度を検出する照度検出部とを備えた通信端末装置の制御方法において、
上記ＧＰＳ受信部が受信した上記ＧＰＳ衛星信号の強度が所定の値より大きいか否かを判定する第１の判定ステップと、
上記無線信号受信部が上記基地局信号を受信したか否かを判定する第２の判定ステップと、
上記照度検出部が検出した照度が所定の範囲に含まれるか否かを判定する第３の判定ステップと、
上記第１の判定ステップにて、上記ＧＰＳ衛星信号の強度が所定の値よりも大きいと判定した場合に、当該ＧＰＳ衛星信号に基づいて現在位置を取得する一方、上記第１の判定ステップにて、上記ＧＰＳ衛星信号の強度が所定の値より小さいと判定し、かつ、上記第２の判定ステップにて、上記無線信号受信部が上記基地局信号を受信したと判定し、かつ、上記第３の判定ステップにて、上記照度検出部が検出した照度が所定の範囲に含まれると判定した場合に、当該基地局信号に含まれる位置情報を現在位置として取得する現在位置取得ステップと、
上記第１の判定ステップにて、上記ＧＰＳ衛星信号の強度が所定の値より小さいと判定し、かつ、上記第２の判定ステップにて、上記無線信号受信部が上記基地局信号を受信したと判定し、かつ、上記第３の判定ステップにて、上記照度検出部が検出した照度が所定の範囲に含まれると判定した場合に、上記ＧＰＳ受信部への電源供給を停止する電源供給停止ステップと、を含むことを特徴とする通信端末装置の制御方法。
【発明の詳細な説明】
【技術分野】
【０００１】
本発明は、ＧＰＳ衛星信号を受信して測位を行う通信端末装置、その制御方法、プログラムおよび記録媒体に関する。
【背景技術】
【０００２】
ＧＰＳ（Global Positioning System）衛星信号を受信して測位を行うＧＰＳ受信機能を有する通信端末装置は、トンネル内を含む屋内で、ＧＰＳ衛星信号を受信できない状態となる。すると、通信端末装置が屋内に存在している間、ＧＰＳによる測位ができないにもかかわらずＧＰＳ受信機能が起動している状態となり、省電力化の観点から好ましくない。
【０００３】
そこで、特許文献１には、自動的にＧＰＳ受信機能をオンオフ設定して省電力化する位置検出装置が開示されている。具体的には、上記位置検出装置は、屋内に移動してＧＰＳ信号受信処理部がＧＰＳ衛星信号をロストすると、ＧＰＳ信号受信処理部への電源供給を停止する。屋内では、自律航法センシング処理を実行して、屋内から屋外へ移動したか判断する。そして、屋外に移動したと判定した場合、ＧＰＳ信号受信処理部への電源供給を開始する。これにより、自動的にＧＰＳ受信機能をオンオフして上記位置検出装置の省電力化を図ることができる。
【先行技術文献】
【特許文献】
【０００４】
【特許文献１】特開２０１０−１７８０８８号公報（２０１０年８月１２日公開）
【発明の概要】
【発明が解決しようとする課題】
【０００５】
しかしながら、特許文献１では、上記位置検出装置が屋内に移動してＧＰＳ衛星信号をロストしたとき、該位置検出装置は位置情報を取得できていない状態となってしまうという問題がある。
【０００６】
本発明は、上記の問題点に鑑みてなされたものであり、その目的は、屋外および屋内で現在位置を取得することができ、かつ省電力化を図ることができる通信端末装置、その制御方法、プログラム並びにおよび記録媒体を提供することにある。
【課題を解決するための手段】
【０００７】
上記課題を解決するために、本発明に係る通信端末装置は、ＧＰＳ衛星信号を受信するＧＰＳ受信部と、屋内のみで使用される周波数帯にて、基地局より当該基地局の設置位置を示す位置情報を含む基地局信号を受信する無線信号受信部とを備え、上記ＧＰＳ受信部が受信した上記ＧＰＳ衛星信号の強度が所定の値より大きいか否かと、上記無線信号受信部が上記基地局信号を受信したか否かとをそれぞれ判定する判定手段と、上記判定手段が、上記ＧＰＳ衛星信号の強度が所定の値よりも大きいと判定した場合に、当該ＧＰＳ衛星信号に基づいて現在位置を取得する一方、上記判定手段が、上記ＧＰＳ衛星信号の強度が所定の値よりも小さく、かつ、上記無線信号受信部が上記基地局信号を受信したと判定した場合に、当該基地局信号に含まれる位置情報を現在位置として取得する現在位置取得手段と、上記判定手段が、上記ＧＰＳ衛星信号の強度が所定の値よりも小さく、かつ、上記無線信号受信部が上記基地局信号を受信したと判定した場合に、上記ＧＰＳ受信部への電源供給を停止する電源供給停止手段と、を備えることを特徴としている。
【０００８】
また、本発明に係る通信端末装置の制御方法は、ＧＰＳ衛星信号を受信するＧＰＳ受信部と、屋内のみで使用される周波数帯にて、基地局より当該基地局の設置位置を示す位置情報を含む基地局信号を受信する無線信号受信部とを備えた通信端末装置の制御方法において、上記ＧＰＳ受信部が受信した上記ＧＰＳ衛星信号の強度が所定の値より大きいか否かを判定する第１の判定ステップと、上記無線信号受信部が上記基地局信号を受信したか否かを判定する第２の判定ステップと、上記第１の判定ステップにて、上記ＧＰＳ衛星信号の強度が所定の値よりも大きいと判定した場合に、当該ＧＰＳ衛星信号に基づいて現在位置を取得する一方、上記第１の判定ステップにて、上記ＧＰＳ衛星信号の強度が所定の値より小さいと判定し、かつ、上記第２の判定ステップにて、上記無線信号受信部が上記基地局信号を受信したと判定した場合に、当該基地局信号に含まれる位置情報を現在位置として取得する現在位置取得ステップと、上記第１の判定ステップにて、上記ＧＰＳ衛星信号の強度が所定の値よりも小さいと判定し、かつ、上記第２の判定ステップにて、上記無線信号受信部が上記基地局信号を受信したと判定した場合に、上記ＧＰＳ受信部への電源供給を停止する電源供給停止ステップと、を含むことを特徴としている。
【０００９】
上記構成および上記方法によれば、ＧＰＳ衛星信号の強度が所定の値よりも大きいと判定した場合と、ＧＰＳ衛星信号の強度が所定の値よりも小さく、かつ、基地局信号を受信したと判定した場合とを、それぞれ判別する。ここで、基地局信号は、屋内のみで使用される周波数帯にて、基地局より送信された信号である。それゆえ、通信端末装置は、基地局信号を自装置が屋内にあるときのみ受信する。よって、上記の判別によれば、ＧＰＳ衛星信号の強度が所定の値よりも大きい場合には、通信端末装置が屋外にあると特定できる。また、ＧＰＳ衛星信号の強度が所定の値よりも小さく、かつ、基地局信号を受信したと判定した場合には、通信端末装置が屋内にあると特定できる。
【００１０】
このように、通信端末装置が屋内にあることの判定を、ＧＰＳ衛星信号の強度が所定の値よりも小さいことのみではなく、屋内のみで使用される周波数帯による無線信号を受信したことを条件とすることによって、判定を高精度で行うことができる。なお、電波は、一般的に、周波数が高いほど距離および遮蔽物による強度の減衰が大きいため、通信可能距離は短くなる。したがって、位置の検出精度の点から、上記無線信号の周波数は高いことが望ましい。
【００１１】
加えて、上記無線信号として、基地局の設置位置を示す位置情報を含む基地局信号を用いることによって、通信端末装置が屋内にある場合に、ＧＰＳ衛星信号による位置情報に代えて、基地局信号による位置情報を取得することができる。また、通信端末装置が屋内にある場合には、ＧＰＳ受信部への電源供給を停止することができる。
【００１２】
よって、屋外および屋内で現在位置を取得することができ、かつ省電力化を図ることができる。
【００１３】
また、上記課題を解決するために、本発明に係る通信端末装置は、ＧＰＳ衛星信号を受信するＧＰＳ受信部と、屋内のみで使用される周波数帯にて、基地局より当該基地局の設置位置を示す位置情報を含む基地局信号を受信する無線信号受信部と、自装置の周囲の照度を検出する照度検出部とを備え、上記ＧＰＳ受信部が受信した上記ＧＰＳ衛星信号の強度が所定の値より大きいか否かと、上記無線信号受信部が上記基地局信号を受信したか否かと、上記照度検出部が検出した照度が所定の範囲に含まれるか否かとをそれぞれ判定する判定手段と、上記判定手段が、上記ＧＰＳ衛星信号の強度が所定の値よりも大きいと判定した場合に、当該ＧＰＳ衛星信号に基づいて現在位置を取得する一方、上記判定手段が、上記ＧＰＳ衛星信号の強度が所定の値よりも小さく、かつ、上記無線信号受信部が上記基地局信号を受信し、かつ、上記照度検出部が検出した照度が所定の範囲に含まれると判定した場合に、当該基地局信号に含まれる位置情報を現在位置として取得する現在位置取得手段と、上記判定手段が、上記ＧＰＳ衛星信号の強度が所定の値よりも小さく、かつ、上記無線信号受信部が上記基地局信号を受信し、かつ、上記照度検出部が検出した照度が所定の範囲に含まれると判定した場合に、上記ＧＰＳ受信部への電源供給を停止する電源供給停止手段と、を備えることを特徴としている。
【００１４】
また、本発明に係る通信端末装置の制御方法は、ＧＰＳ衛星信号を受信するＧＰＳ受信部と、屋内のみで使用される周波数帯にて、基地局より当該基地局の設置位置を示す位置情報を含む基地局信号を受信する無線信号受信部と、自装置の周囲の照度を検出する照度検出部とを備えた通信端末装置の制御方法において、上記ＧＰＳ受信部が受信した上記ＧＰＳ衛星信号の強度が所定の値より大きいか否かを判定する第１の判定ステップと、上記無線信号受信部が上記基地局信号を受信したか否かを判定する第２の判定ステップと、上記照度検出部が検出した照度が所定の範囲に含まれるか否かを判定する第３の判定ステップと、上記第１の判定ステップにて、上記ＧＰＳ衛星信号の強度が所定の値よりも大きいと判定した場合に、当該ＧＰＳ衛星信号に基づいて現在位置を取得する一方、上記第１の判定ステップにて、上記ＧＰＳ衛星信号の強度が所定の値より小さいと判定し、かつ、上記第２の判定ステップにて、上記無線信号受信部が上記基地局信号を受信したと判定し、かつ、上記第３の判定ステップにて、上記照度検出部が検出した照度が所定の範囲に含まれると判定した場合に、当該基地局信号に含まれる位置情報を現在位置として取得する現在位置取得ステップと、上記第１の判定ステップにて、上記ＧＰＳ衛星信号の強度が所定の値より小さいと判定し、かつ、上記第２の判定ステップにて、上記無線信号受信部が上記基地局信号を受信したと判定し、かつ、上記第３の判定ステップにて、上記照度検出部が検出した照度が所定の範囲に含まれると判定した場合に、上記ＧＰＳ受信部への電源供給を停止する電源供給停止ステップと、を含むことを特徴としている。
【００１５】
上記構成および上記方法によれば、ＧＰＳ衛星信号の強度が所定の値よりも大きいと判定した場合と、ＧＰＳ衛星信号の強度が所定の値よりも小さく、かつ、基地局信号を受信し、かつ、自装置の周囲の照度が所定の範囲に含まれると判定した場合とを、それぞれ判別する。ここで、基地局信号は、屋内のみで使用される周波数帯にて、基地局より送信された信号である。それゆえ、通信端末装置は、基地局信号を自装置が屋内にあるときのみ受信する。よって、上記の判別によれば、ＧＰＳ衛星信号の強度が所定の値よりも大きい場合には、通信端末装置が屋外にあると特定できる。また、ＧＰＳ衛星信号の強度が所定の値よりも小さく、かつ、基地局信号を受信したと判定した場合には、通信端末装置が屋内にあると特定できる。
【００１６】
ここで、屋外でも、例えばビルの近傍では、ＧＰＳ衛星信号の強度が所定の値よりも小さくなる一方、ビル内の基地局から送信された基地局信号を受信する可能性がある。この場合、基地局は屋内にあるので、屋外にある通信端末装置からは遠い位置にある。そのため、受信した基地局信号に含まれる基地局の位置情報は現在位置としての精度が低く、現在位置として採用しないことが望ましい。
【００１７】
そこで、上記構成および上記方法では、通信端末装置が屋内にあることの判定条件に、自装置の周囲の照度が所定の範囲に含まれることを追加して、ＧＰＳ衛星信号の強度が所定の値よりも小さく、かつ、基地局信号を受信した場合であっても、自装置の周囲の照度が所定の範囲に含まれない場合には、通信端末装置が屋内にあるとは判定しない。すなわち、上記通信端末装置は、ＧＰＳ衛星信号の強度が所定の値よりも小さく、かつ、基地局信号を受信し、かつ、自装置の周囲の照度が所定の範囲に含まれる場合を、自装置が屋内にあると判定する。なお、照度の上記所定の範囲は、室内における一般的な照度を含む一方、屋外における一般的な照度を含まないように設定される。
【００１８】
このように、通信端末装置が屋内にあることの判定を、ＧＰＳ衛星信号の強度が所定の値よりも小さいことのみではなく、屋内のみで使用される周波数帯による無線信号を受信したこと、および、自装置の周囲の照度が所定の範囲に含まれることを条件とすることによって、判定を高精度で行うことができる。なお、電波は、一般的に、周波数が高いほど距離および遮蔽物による強度の減衰が大きいため、通信可能距離は短くなる。したがって、位置の検出精度の点から、上記無線信号の周波数は高いことが望ましい。
【００１９】
加えて、上記無線信号として、基地局の設置位置を示す位置情報を含む基地局信号を用いることによって、通信端末装置が屋内にある場合に、ＧＰＳ衛星信号による位置情報に代えて、基地局信号による位置情報を取得することができる。また、通信端末装置が屋内にある場合には、ＧＰＳ受信部への電源供給を停止することができる。
【００２０】
よって、屋外および屋内で現在位置を取得することができ、かつ省電力化を図ることができる。
【００２１】
さらに、本発明に係る通信端末装置にて、上記無線信号受信部は、ＷＬＡＮ信号の周波数帯区分におけるＷ５２タイプおよびＷ５３タイプの信号によって、上記基地局信号を受信することが好ましい。
【００２２】
ＷＬＡＮ（Wireless Local Access Network）信号のＷ５２タイプおよびＷ５３タイプは、屋内のみで使用される周波数帯の無線信号であるため、上記基地局信号として好適である。なお、Ｗ５２タイプは５２５０ＭＨｚ〜５２５０ＭＨｚ、Ｗ５３タイプは５２５０ＭＨｚ〜５３５０Ｍｈｚがある。
【００２３】
なお、上記通信端末装置の各手段を、制御プログラムによりコンピュータ上で実行させることができる。さらに、上記制御プログラムを、コンピュータ読み取り可能な記録媒体に記憶させることにより、任意のコンピュータ上で当該通信端末装置を実行させることができる。
【発明の効果】
【００２４】
以上のように、本発明に係る通信端末装置は、ＧＰＳ衛星信号を受信するＧＰＳ受信部と、屋内のみで使用される周波数帯にて、基地局より当該基地局の設置位置を示す位置情報を含む基地局信号を受信する無線信号受信部とを備え、上記ＧＰＳ受信部が受信した上記ＧＰＳ衛星信号の強度が所定の値より大きいか否かと、上記無線信号受信部が上記基地局信号を受信したか否かとをそれぞれ判定する判定手段と、上記判定手段が、上記ＧＰＳ衛星信号の強度が所定の値よりも大きいと判定した場合に、当該ＧＰＳ衛星信号に基づいて現在位置を取得する一方、上記判定手段が、上記ＧＰＳ衛星信号の強度が所定の値よりも小さく、かつ、上記無線信号受信部が上記基地局信号を受信したと判定した場合に、当該基地局信号に含まれる位置情報を現在位置として取得する現在位置取得手段と、上記判定手段が、上記ＧＰＳ衛星信号の強度が所定の値よりも小さく、かつ、上記無線信号受信部が上記基地局信号を受信したと判定した場合に、上記ＧＰＳ受信部への電源供給を停止する電源供給停止手段と、を備える構成である。
【００２５】
また、本発明に係る通信端末装置の制御方法は、上記ＧＰＳ受信部が受信した上記ＧＰＳ衛星信号の強度が所定の値より大きいか否かを判定する第１の判定ステップと、上記無線信号受信部が上記基地局信号を受信したか否かを判定する第２の判定ステップと、上記第１の判定ステップにて、上記ＧＰＳ衛星信号の強度が所定の値よりも大きいと判定した場合に、当該ＧＰＳ衛星信号に基づいて現在位置を取得する一方、上記第１の判定ステップにて、上記ＧＰＳ衛星信号の強度が所定の値より小さいと判定し、かつ、上記第２の判定ステップにて、上記無線信号受信部が上記基地局信号を受信したと判定した場合に、当該基地局信号に含まれる位置情報を現在位置として取得する現在位置取得ステップと、上記第１の判定ステップにて、上記ＧＰＳ衛星信号の強度が所定の値よりも小さいと判定し、かつ、上記第２の判定ステップにて、上記無線信号受信部が上記基地局信号を受信したと判定した場合に、上記ＧＰＳ受信部への電源供給を停止する電源供給停止ステップと、を含む方法である。
【００２６】
それゆえ、通信端末装置が屋内にあることの判定を、ＧＰＳ衛星信号の強度が所定の値よりも小さいことのみではなく、屋内のみで使用される周波数帯による無線信号を受信したことを条件とすることによって、判定を高精度で行うことができる。加えて、上記無線信号として、基地局の設置位置を示す位置情報を含む基地局信号を用いることによって、通信端末装置が屋内にある場合に、ＧＰＳ衛星信号による位置情報に代えて、基地局信号による位置情報を取得することができる。また、通信端末装置が屋内にある場合には、ＧＰＳ受信部への電源供給を停止することができる。
【００２７】
よって、屋外および屋内で現在位置を取得することができ、かつ省電力化を図ることができるという効果を奏する。
【００２８】
また、本発明に係る通信端末装置は、ＧＰＳ衛星信号を受信するＧＰＳ受信部と、屋内のみで使用される周波数帯にて、基地局より当該基地局の設置位置を示す位置情報を含む基地局信号を受信する無線信号受信部と、自装置の周囲の照度を検出する照度検出部とを備え、上記ＧＰＳ受信部が受信した上記ＧＰＳ衛星信号の強度が所定の値より大きいか否かと、上記無線信号受信部が上記基地局信号を受信したか否かと、上記照度検出部が検出した照度が所定の範囲に含まれるか否かとをそれぞれ判定する判定手段と、上記判定手段が、上記ＧＰＳ衛星信号の強度が所定の値よりも大きいと判定した場合に、当該ＧＰＳ衛星信号に基づいて現在位置を取得する一方、上記判定手段が、上記ＧＰＳ衛星信号の強度が所定の値よりも小さく、かつ、上記無線信号受信部が上記基地局信号を受信し、かつ、上記照度検出部が検出した照度が所定の範囲に含まれると判定した場合に、当該基地局信号に含まれる位置情報を現在位置として取得する現在位置取得手段と、上記判定手段が、上記ＧＰＳ衛星信号の強度が所定の値よりも小さく、かつ、上記無線信号受信部が上記基地局信号を受信し、かつ、上記照度検出部が検出した照度が所定の範囲に含まれると判定した場合に、上記ＧＰＳ受信部への電源供給を停止する電源供給停止手段と、を備える構成である。
【００２９】
また、本発明に係る通信端末装置の制御方法は、上記ＧＰＳ受信部が受信した上記ＧＰＳ衛星信号の強度が所定の値より大きいか否かを判定する第１の判定ステップと、上記無線信号受信部が上記基地局信号を受信したか否かを判定する第２の判定ステップと、上記照度検出部が検出した照度が所定の範囲に含まれるか否かを判定する第３の判定ステップと、上記第１の判定ステップにて、上記ＧＰＳ衛星信号の強度が所定の値よりも大きいと判定した場合に、当該ＧＰＳ衛星信号に基づいて現在位置を取得する一方、上記第１の判定ステップにて、上記ＧＰＳ衛星信号の強度が所定の値より小さいと判定し、かつ、上記第２の判定ステップにて、上記無線信号受信部が上記基地局信号を受信したと判定し、かつ、上記第３の判定ステップにて、上記照度検出部が検出した照度が所定の範囲に含まれると判定した場合に、当該基地局信号に含まれる位置情報を現在位置として取得する現在位置取得ステップと、上記第１の判定ステップにて、上記ＧＰＳ衛星信号の強度が所定の値より小さいと判定し、かつ、上記第２の判定ステップにて、上記無線信号受信部が上記基地局信号を受信したと判定し、かつ、上記第３の判定ステップにて、上記照度検出部が検出した照度が所定の範囲に含まれると判定した場合に、上記ＧＰＳ受信部への電源供給を停止する電源供給停止ステップと、を含む方法である。
【００３０】
それゆえ、通信端末装置が屋内にあることの判定を、ＧＰＳ衛星信号の強度が所定の値よりも小さいことのみではなく、屋内のみで使用される周波数帯による無線信号を受信したこと、および、自装置の周囲の照度が所定の範囲に含まれることを条件とすることによって、判定を高精度で行うことができる。加えて、上記無線信号として、基地局の設置位置を示す位置情報を含む基地局信号を用いることによって、通信端末装置が屋内にある場合に、ＧＰＳ衛星信号による位置情報に代えて、基地局信号による位置情報を取得することができる。また、通信端末装置が屋内にある場合には、ＧＰＳ受信部への電源供給を停止することができる。
【００３１】
よって、屋外および屋内で現在位置を取得することができ、かつ省電力化を図ることができるという効果を奏する。
【図面の簡単な説明】
【００３２】
【図１】本発明の一実施形態に係る通信端末装置の構成の詳細を示す機能ブロック図である。
【図２】図１に示す通信端末装置の構成の概略を示すブロック図である。
【図３】図１に示す通信端末装置の動作を示すフローチャートである。
【図４】図１に示す通信端末装置の変形例の構成の概略を示すブロック図である。
【図５】図４に示す通信端末装置の構成の詳細を示す機能ブロック図である。
【図６】図４に示す通信端末装置の動作を示すフローチャートである。
【図７】本発明の他の実施形態に係る通信端末装置の構成の概略を示すブロック図である。
【図８】図７に示す通信端末装置の構成の詳細を示す機能ブロック図である。
【図９】図７に示す通信端末装置の動作を示すフローチャートである。
【発明を実施するための形態】
【００３３】
以下、本発明の実施形態について、図１〜図９を参照しながら詳細に説明する。なお、各実施形態に記載されている構成については、特に特定的な記載がない限り、この発明の範囲をそれのみに限定する趣旨ではなく、単に一構成例を示すに過ぎない。
【００３４】
以下の説明において、５Ｇ帯チャネルとは、ＷＬＡＮ（Wireless Local Access Network）の無線周波数帯であるＷ５２タイプおよびＷ５３タイプに含まれるチャネルのことである。これらのチャネルは屋外での使用が不可（ＩＥＥＥ８０２．１１規格による）とされており、屋内専用で使用されるチャネルである。そのため、５Ｇ帯チャネルの信号を屋外で受信することは困難である。なお、以下の実施形態では、Ｗ５２タイプおよびＷ５３タイプを例として説明するが、無線通信の屋内専用で使用されるチャネルであれば、周波数帯や通信方式は限定されない。
【００３５】
〔実施形態１〕
本発明に係る通信端末装置の第１の実施形態について、図１〜図３に基づいて説明すれば、以下のとおりである。
【００３６】
まず、図１、図２を用いて、本実施形態に係る通信端末装置１００の構成について説明する。図１は、通信端末装置１００が備える制御部１０３の機能ブロック図であり、図２は、通信端末装置１００の構成の概略を示すブロック図である。
【００３７】
（通信端末装置の構成）
図２に示すように、通信端末装置１００は、ＧＰＳ受信部１０１、ＷＬＡＮ送受信部（無線信号受信部）１０２、制御部１０３、ＲＡＭ１０４、ＲＯＭ１０５、表示部１０６、ＧＰＳ電源１０７を備えて構成されている。
【００３８】
ＧＰＳ受信部１０１は、ＧＰＳアンテナを備え、ＧＰＳ衛星信号を受信して、ＧＰＳ測位を行う。また、ＧＰＳ受信部１０１は、通信端末装置１００の電源とは独立した電源であるＧＰＳ電源１０７から電源を供給される。
【００３９】
ＷＬＡＮ送受信部１０２は、ＷＬＡＮアンテナを備え、基地局としてのＷＬＡＮアクセスポイント（以下、ＡＰと略記）との間で電波の送受信を行う。そして、ＷＬＡＮ送受信部１０２は、ＡＰを介してＷＬＡＮネットワーク上の他の通信端末装置および他のネットワークと接続してデータの通信を行う。ＷＬＡＮ送受信部１０２は、特に、屋内のみで使用される周波数帯にて、ＡＰより当該ＡＰの設置位置を示す位置情報を含むＡＰ信号（基地局信号）を受信する。具体的には、ＷＬＡＮ送受信部１０２は、ＷＬＡＮ信号の周波数帯区分におけるＷ５２タイプおよびＷ５３タイプの信号によって、ＡＰ信号を受信する。
【００４０】
ＲＡＭ１０４は、制御部１０３がプログラムまたはデータを随時読み書きして使用するメモリである。ＲＯＭ１０５は、制御部１０３が実行するプログラムまたはデータが予め書き込まれたメモリである。
【００４１】
表示部１０６は、制御部１０３が取得した現在位置を表示するものである。表示部１０６は、液晶ディスプレイ（ＬＣＤ；Liquid Crystal Display）、有機ＥＬ（Electro Luminescence）ディスプレイなどの表示デバイスによって構成されている。
【００４２】
（制御部の構成）
図１に示すように、制御部１０３は、ＡＰ捜索部（基地局捜索手段）１０３１、判定部（判定手段）１０３２、現在位置取得部（現在位置取得手段）１０３３、および電源供給部（電源供給停止手段）１０３４を備える。
【００４３】
ＡＰ捜索部１０３１は、屋内のみで使用される周波数帯の無線信号（Ｗ５２、Ｗ５３）を送受信するＡＰを捜索する信号をＷＬＡＮ送受信部１０２に発信させ、最も近接するＡＰからの応答をＷＬＡＮ送受信部１０２に取得させる。
【００４４】
判定部１０３２は、ＧＰＳ受信部１０１が受信したＧＰＳ衛星信号の強度を取得して、その強度が所定の値より大きいか否かを判定する（第１の判定ステップ）。また、判定部１０３２は、ＷＬＡＮ送受信部１０２がＡＰ信号を受信したか否かを判定する（第２の判定ステップ）。すなわち、ＡＰ捜索部１０３１の指示に従って、ＷＬＡＮ送受信部１０２がＡＰからの応答を取得することができたか否かを判定する。
【００４５】
現在位置取得部１０３３は、通信端末装置１００が屋外にあると判定した場合に、ＧＰＳ受信部１０１にＧＰＳ衛星信号を受信してＧＰＳ測位を行わせることによって、通信端末装置１００の現在位置を取得する。また、現在位置取得部１０３３は、通信端末装置１００が屋内にあると判定した場合に、ＷＬＡＮ送受信部１０２が受信したＡＰ信号に含まれる位置情報を現在位置として取得する。
【００４６】
詳細には、現在位置取得部１０３３は、判定部１０３２が、ＧＰＳ衛星信号の強度が所定の値よりも大きいと判定した場合に、当該ＧＰＳ衛星信号に基づいて現在位置を取得する。
【００４７】
また、現在位置取得部１０３３は、判定部１０３２が、ＧＰＳ衛星信号の強度が所定の値よりも小さく、かつ、ＷＬＡＮ送受信部１０２がＡＰ信号を受信したと判定した場合に、当該ＡＰ信号に含まれる位置情報を現在位置として取得する。または、応答したＡＰの位置情報を該位置情報が記憶されたサーバーからダウンロードし、ダウンロードした位置情報を通信端末装置１００の現在位置として取得する（現在位置取得ステップ）。
【００４８】
電源供給部１０３４は、ＧＰＳ受信部１０１に備えられた、通信端末装置１００とは独立したＧＰＳ電源１０７がオンオフどちらの状態かを取得する。また、電源供給部１０３４は、判定部１０３２の指示に従って、ＧＰＳ電源１０７のオンオフを切り替える。詳細には、電源供給部１０３４は、判定部１０３２が、ＧＰＳ衛星信号の強度が所定の値よりも小さく、かつ、ＷＬＡＮ送受信部１０２がＡＰ信号を受信したと判定した場合に、ＧＰＳ電源１０７にＧＰＳ受信部１０１への電源供給を停止させる（電源供給停止ステップ）。
【００４９】
（通信端末装置の動作）
次に、図３に示すフローチャートを用いて、制御部１０３によって実行される通信端末装置１００の動作を説明する。
【００５０】
はじめに、通信端末装置１００が屋外に存在している場合の動作について説明する。ここでは、通信端末装置１００の電源はオンであるものとする。また、ＷＬＡＮ送受信部１０２の電源は通信端末装置１００の電源と共通しており、通信端末装置１００の電源がオンの間、ＷＬＡＮ送受信部１０２はＡＰ信号を含めすべてのＷＬＡＮ信号を送受信可能な状態である。
【００５１】
図３に示すように、まず、電源供給部１０３４は、ＧＰＳ電源１０７がＧＰＳ受信部１０１に電源を供給中であるか（ＧＰＳ電源１０７がオンかオフか）否かを判定する（Ｓ１）。そして、ＧＰＳ受信部１０１への電源が停止していれば（Ｓ３においてＮＯ）、電源供給部１０３４は、ＧＰＳ電源１０７をオンにして、ＧＰＳ受信部１０１への電源供給を開始する（Ｓ３）。すると、ＧＰＳ受信部１０１は、ＧＰＳ衛星信号を受信している状態となる。なお、ＧＰＳ受信部１０１への電源が供給されていれば（Ｓ３においてＹＥＳ）、何もせず次のステップＳ５へ進む。
【００５２】
次に、判定部１０３２は、ＧＰＳ受信部１０１が受信しているＧＰＳ衛星信号の強度を取得し、その強度が所定の値よりも低いか否かを判定する（Ｓ５；第１の判定ステップ）。ここで、上記所定の値は、通信端末装置１００が屋外にあればほぼ常に超える値に設定しており、例えばＣ／Ｎ値（ＣＮＲ；Carrier to Noise Ratio）で１２ｄＢである。
【００５３】
そして、ＧＰＳ衛星信号の強度が所定の値よりも低くない場合（Ｓ５においてＮＯ）、現在位置取得部１０３３は、ＧＰＳ受信部１０１にＧＰＳ測位を実行させ、通信端末装置１００の現在位置を取得する（Ｓ５ａ；現在位置取得ステップ）。そして、現在位置取得部１０３３は、取得した現在位置データをＲＡＭ１０４に記憶する、あるいは、表示部１０６に表示する。その後、ステップＳ１へ戻る。
【００５４】
一方、ＧＰＳ衛星信号の強度が所定の値よりも低い場合（ステップＳ５においてＹＥＳ）、ＡＰ捜索部１０３１は、５Ｇ帯チャネルの信号を送信するＡＰ（すなわち屋内に存在するＡＰ）を捜索するための捜索信号を、ＷＬＡＮ送受信部１０２に送信させる。そして、判定部１０３２は、ＷＬＡＮ送受信部１０２が受信したＡＰ信号を取得し、ＡＰからの応答があったか否かを判定する（Ｓ７；第２の判定ステップ）。そして、ＷＬＡＮ送受信部１０２がＡＰ信号を受信した場合（Ｓ７においてＹＥＳ）、電源供給部１０３４は、ＧＰＳ受信部１０１への電源を供給中であるか（ＧＰＳ電源１０７はオンであるか）否かを判定し（Ｓ９）、電源を供給中であれば（Ｓ９においてＹＥＳ）、ＧＰＳ受信部１０１への電源供給を停止する（Ｓ１１；電源供給停止ステップ）。これにより、ＧＰＳ受信部１０１による電力消費が行われない状態となる。
【００５５】
そして、現在位置取得部１０３３は、ＷＬＡＮ受信部１０２が受信したＡＰ信号からＡＰの位置情報を取得する（Ｓ１３；現在位置取得ステップ）。
【００５６】
一方、電源供給部１０３４は、ＧＰＳ受信部１０１への電源が停止中であれば（Ｓ９においてＮＯ）、直ちに、現在位置取得部１０３３が、受信したＡＰ信号からＡＰの位置情報を取得する（Ｓ１３）。
【００５７】
そして、ステップＳ１３において現在位置取得部１０３３がＡＰ信号からＡＰの位置情報を取得した後、現在位置取得部１０３３は、取得したＡＰの位置情報データを通信端末装置１００の現在位置として設定し、該現在位置を表示部１０６に表示してもよいし、ＲＡＭ１０４に記憶してもよい。その後、ＡＰ捜索のステップＳ７へ戻る。なお、ＷＬＡＮ送受信部１０２がＡＰ信号を受信していない場合は（Ｓ７においてＮＯ）、ステップＳ１へ戻る。
【００５８】
（屋外の場合）
ここで、通信端末装置１００が屋外に存在している場合の動作について説明する。
【００５９】
通信端末装置１００が屋外に存在している場合、ＧＰＳ受信部１０１が受信するＧＰＳ衛星信号の強度は強く、通常、上記所定の値（例えばＣ/Ｎ値で１２ｄＢ）よりも強い強度でＧＰＳ衛星信号を受信する（Ｓ５においてＮＯ）。そのため、現在位置取得部１０３３は、ＧＰＳ受信部１０１にＧＰＳ測位を実行させ、通信端末装置１００の現在位置を取得する（Ｓ５ａ）。
【００６０】
ただし、通信端末装置１００が屋外に存在していても、ＧＰＳ受信部１０１が受信するＧＰＳ衛星信号の強度が弱い場合もある。その場合、通信端末装置１００は屋外に存在しているので、ＷＬＡＮ送受信部１０２が屋内専用の５Ｇ帯チャネルの信号であるＡＰ信号を受信できず（Ｓ７においてＮＯ）、最初のステップＳ１に戻る。
【００６１】
なお、通信端末装置１００が屋外に存在していながら、ＧＰＳ衛星信号の強度が弱く、かつ、ＡＰ信号を受信する場合も、例外的に想定できる。この場合は、ステップＳ９に進むことになる。上記例外的な場合とは、例えば、通信端末装置１００がビルの近傍にある、またはトンネルの中にある場合などである。
【００６２】
（屋内の場合）
次に、通信端末装置１００が屋内に存在している場合の動作について説明する。ここで、屋内にはＡＰが存在しており、該ＡＰは５Ｇ帯チャネルの信号を送信しており、さらに、ＧＰＳ受信部１０１への電源は供給されている（ＧＰＳ電源１０７がオン）とする。
【００６３】
通信端末装置１００は屋内に存在している場合、ＧＰＳ受信部１０１が受信するＧＰＳ衛星信号の強度は弱く、通常、上記所定の値（例えばＣ/Ｎ値で１２ｄＢ）よりも弱いＧＰＳ衛星信号を受信する（Ｓ５においてＹＥＳ）。そのため、ＷＬＡＮ送受信部１０２がＡＰ信号を受信して（Ｓ７においてＹＥＳ）、現在位置取得部１０３３がＡＰ信号からＡＰの位置情報を取得する（Ｓ１３）。このとき、ＧＰＳ受信部１０１への電源が供給中であれば（Ｓ９においてＹＥＳ）、ＧＰＳ受信部１０１への電源供給を停止する（Ｓ１１）。
【００６４】
ただし、通信端末装置１００が屋内に存在している場合でも、通信端末装置１００が窓際に位置している場合にはＧＰＳによる測位が可能な場合がある。この場合、ＧＰＳ衛星信号の受信強度が上記所定の値よりも高い（Ｓ５においてＮＯ）ため、現在位置取得部１０３３はＧＰＳ測位により現在位置を取得する（Ｓ５ａ）。
【００６５】
さらに、ステップＳ１３の後、ステップＳ７に戻ったとき、通信端末装置１００が屋内に存在し続けていた場合の動作は、以下の通りになる。
【００６６】
ＡＰ捜索部１０３１がＷＬＡＮ送受信部１０２に再びＡＰを捜索させ（Ｓ７）、判定部１０３２が屋内のＡＰからの応答を再び取得した後（Ｓ７においてＹＥＳ）、ＧＰＳ受信部１０１への電源が停止されているため（Ｓ９においてＮＯ）、電源供給部１０３４は何も行わず、現在位置取得部１０３３がＡＰの位置情報データを取得する（Ｓ１３）。
【００６７】
一方で、ステップＳ７に戻ったとき、通信端末装置１００が屋内から屋外へ移動していた場合の動作は、以下の通りとなる。
【００６８】
通信端末装置１００が屋外へ移動したため、ＷＬＡＮ送受信部１０２は、ＡＰが送信する５Ｇ帯チャネル（Ｗ５２、Ｗ５３）信号を受信できなくなる。従って、ＡＰ捜索部１０３１はＡＰの捜索の捜索を行い（Ｓ７）、それに失敗する（Ｓ７においてＮＯ）ので、最初のステップＳ１へ戻る。
【００６９】
〔変形例〕
ここで、図４〜図６を用いて、本実施形態の変形例として、ＡＰの捜索および該ＡＰの位置情報を取得するステップの間以外は、ＷＬＡＮ送受信部１０２に電源を供給しない形態について説明する。
【００７０】
図４は本変形例に係る通信端末装置１００´の構成を示すブロック図であり、図５は通信端末装置１００′が備える制御部１０３の機能ブロック図である。
【００７１】
図４に示すように、通信端末装置１００´は通信端末装置１００の構成に加えて、ＷＬＡＮ電源１０８をさらに備える。
【００７２】
図５に示すように、本変形例では、ＷＬＡＮ送受信部１０２は、通信端末装置１００´の電源とは独立した電源であるＷＬＡＮ電源１０８から電源を供給される。また、電源供給部１０３４は、ＷＬＡＮ電源１０８のオンオフを制御することによって、ＷＬＡＮ送受信部１０２への電源供給の開始および停止を制御する。また、電源供給部１０３４は、ＷＬＡＮ電源１０８がＷＬＡＮ送受信部１０２へ電源供給中か否か（ＷＬＡＮ電源１０８はオンかオフか）を取得する。
【００７３】
（変形例の動作）
次に、図６に示すフローチャートを用いて、通信端末装置１００´の動作を説明する。
【００７４】
通信端末装置１００´では、ステップＳ５においてＹＥＳと判定されるまで、ＷＬＡＮ送受信部１０２への電源供給が停止されている（ＷＬＡＮ電源１０８がオフ）点のみが、通信端末装置１００の動作と異なる。そのため、以下では、通信端末装置１００の動作と同じステップについては説明を省略し、追加されたステップＳ３ｗおよびステップＳ１１ｗを中心に説明する。
【００７５】
ステップＳ５において、判定部１０３２が、ＧＰＳ衛星信号の強度が所定値以下であると判定した場合（Ｓ５においてＹＥＳ）、電源供給部１０３４はＷＬＡＮ電源１０８をオンにして、ＷＬＡＮ送受信部１０２に電源供給を開始する（Ｓ３ｗ）。
【００７６】
次に、ＡＰ捜索部１０３１の指示により、ＷＬＡＮ送受信部１０２がＡＰの捜索を行い、応答するＡＰがあった場合（Ｓ７においてＹＥＳ）、ステップＳ９以降へ進む。すなわち、ＧＰＳ受信部１０１への電源が供給中であれば（Ｓ９においてＹＥＳ）、ＧＰＳ受信部１０１への電源供給を停止する（Ｓ１１）。また、現在位置取得部１０３３がＡＰ信号からＡＰの位置情報を取得する（Ｓ１３）。その後、ステップＳ７へ戻る。一方、応答するＡＰがなかった場合（Ｓ７においてＮＯ）、電源供給部１０３４は、ＷＬＡＮ電源１０８´をオフにして、ＷＬＡＮ送受信部１０２への電源供給を停止する（Ｓ１１ｗ）。すなわち、応答するＡＰがない状況では、直ちに、ＷＬＡＮ送受信部１０２への電源供給を停止する。その後、最初のステップＳ１に戻る。
【００７７】
このように、本変形例に係る通信端末装置１００´では、ＡＰ捜索および該ＡＰの位置情報を取得するとき以外は、ＷＬＡＮ送受信部１０２への電源供給を停止する。そのため、通信端末装置１００よりも省電力化することができる。
【００７８】
〔実施形態２〕
本発明に係る通信端末装置の第２の実施形態について、図７〜図９に基づいて説明すれば、以下のとおりである。なお、実施形態１と同様の部材に関しては、同じ符号を付し、その説明を省略する。
【００７９】
（通信端末装置の構成）
図７として、本実施形態に係る通信端末装置２００のブロック図を示す。また、図８として、通信端末装置２００が備える制御部１０３の機能ブロック図を示す。
【００８０】
図７に示すように、通信端末装置２００は、実施形態１の通信端末装置１００の構成に加えて、照度センサ（照度検出部）２０６をさらに備える構成である。また、図８に示すように、判定部（判定手段）１０３２は、照度センサ２０６が検出した照度値を取得する。
【００８１】
照度センサ２０６は、通信端末装置２００の周囲の照度を検出する。具体的には、照度センサ２０６は、通信端末装置２００の表面などに配置されており、通信端末装置２００の外部環境の照度を検出する。照度センサ２０６は、例えばフォトダイオード、フォトトランジスタである。
【００８２】
本実施の形態では、制御部１０３の判定部１０３２、現在位置取得部（現在位置取得手段）１０３３、電源供給部（電源供給停止手段）１０３４は、それぞれ以下のように機能する。
【００８３】
判定部１０３２は、実施形態１と同様に次の（１）（２）の判定を行うとともに、さらに（３）の判定を行う。（１）ＧＰＳ受信部１０１が受信したＧＰＳ衛星信号の強度が所定の値より大きいか否かを判定する（第１の判定ステップ）。（２）ＷＬＡＮ送受信部（無線信号受信部）１０２がＡＰ信号を受信したか否かを判定する（第２の判定ステップ）。（３）照度センサ２０６が検出した照度が所定の範囲に含まれるか否かを判定する（第３の判定ステップ）。上記所定の範囲は、室内における一般的な照度の範囲（例えば、３０〜２０００ルクス）に設定する。
【００８４】
現在位置取得部１０３３は、判定部１０３２が、ＧＰＳ衛星信号の強度が所定の値よりも大きいと判定した場合に、ＧＰＳ測位を行って現在位置を取得する（現在位置取得ステップ）。また、現在位置取得部１０３３は、特に、判定部１０３２が、ＧＰＳ衛星信号の強度が所定の値よりも小さく、かつ、ＷＬＡＮ送受信部１０２がＡＰ信号を受信し、かつ、照度センサ２０６が検出した照度が所定の範囲に含まれると判定した場合に、応答したＡＰのＡＰ信号に含まれる位置情報を現在位置として取得する（現在位置取得ステップ）。
【００８５】
電源供給部１０３４は、判定部１０３２が、ＧＰＳ衛星信号の強度が所定の値よりも小さく、かつ、ＷＬＡＮ送受信部１０２がＡＰ信号を受信し、かつ、照度センサ２０６が検出した照度が所定の範囲に含まれると判定した場合に、ＧＰＳ電源１０７にＧＰＳ受信部１０１への電源供給を停止させる（電源供給停止ステップ）。
【００８６】
（照度センサを備える通信端末装置の動作）
次に、図９に示すフローチャートを用いて、通信端末装置２００の動作について説明する。本フローチャートは、実施形態１で説明した通信端末装置１００の動作のフローチャート（図３）と比較して、ステップＳ６が追加されている点のみが異なる。そのため、以下では、追加されたステップＳ６に関連する動作のみについて説明し、その他の動作の説明は省略する。
【００８７】
ステップＳ５において、判定部１０３２が、ＧＰＳ衛星信号の強度が所定値以下であるとか判定した場合（Ｓ５においてＹＥＳ）、判定部１０３２は、照度センサ２０６が検出した照度を取得して、照度が所定の範囲内の値であるか否かを判定する（Ｓ６；第３の判定ステップ）。
【００８８】
ここで、上記所定の範囲は、室内における一般的な照度な範囲に設定されている。したがって、判定部１０３２が、照度センサ２０６が検出した照度が所定の範囲内の値であると判定した場合（Ｓ６においてＹＥＳ）、通信端末装置２００は屋内に存在すると考えられる。一方、照度が所定の範囲内の値でないと判定した場合（Ｓ６においてＮＯ）、通信端末装置２００は屋外に存在すると考えられる。なぜならば、屋外は、日中には、一般的に屋内よりも環境の照度が高くなる（２０００〜１０００００ルクス程度）ので、検出される照度は上記所定の範囲の上限値よりも高くなる。一方、夜間には、一般的に屋内よりも環境の照度が低くなる（０〜１０ルクス程度）ので、検出される照度は上記所定の範囲の下限値よりも小さくなるためである。
【００８９】
そして、照度が所定の範囲内の値であれば（Ｓ６においてＹＥＳ）、ステップＳ７以降に進む。すなわち、応答するＡＰがあり（Ｓ７においてＹＥＳ）、ＧＰＳ受信部１０１への電源が供給中であれば（Ｓ９においてＹＥＳ）、ＧＰＳ受信部１０１への電源供給を停止する（Ｓ１１）。また、現在位置取得部１０３３がＡＰ信号からＡＰの位置情報を取得する（Ｓ１３）。一方、応答するＡＰがなかった場合（Ｓ７においてＮＯ）、最初のステップＳ１に戻る。
【００９０】
本実施形態によれば、実施形態１と異なり、ＡＰ捜索を行う（Ｓ７）前に、外部環境の照度が所定の範囲内の値であるか否かを判定する（Ｓ６）。そのため、通信端末装置２００が屋外に存在しているかまたは屋内に存在しているかを、より正確に判定することができる。その結果、通信端末装置２００が屋外に存在しており、一時的にＧＰＳ衛星信号の受信強度が低下した場合でも、誤ってＧＰＳ受信部１０１の電源をオフにしてしまうことがない。
【００９１】
〔補足１〕
上記通信端末装置１００、１００´、２００のＡＰ捜索部１０３１、判定部１０３２、現在位置取得部１０３３、および電源供給部１０３４は、ハードウェアロジックによって構成してもよいし、次のようにＣＰＵを用いてソフトウェアによって実現してもよい。
【００９２】
すなわち、通信端末装置１００、１００´、２００は、各機能を実現する制御プログラムの命令を実行するＣＰＵ、上記プログラムを格納したＲＯＭ、上記プログラムを展開するＲＡＭ、上記プログラムおよび各種データを格納するメモリ等で構成された記憶部（記録媒体）などを備えている。
【００９３】
そして、本発明の目的は、上述した機能を実現するソフトウェアである制御プログラムのプログラムコード（実行形式プログラム、中間コードプログラム、ソースプログラム）をコンピュータで読み取り可能に記録した記録媒体を、通信端末装置１００、１００´、２００に供給し、そのコンピュータ（またはＣＰＵやＭＰＵ）が記録媒体に記録されているプログラムコードを読み出し実行することによっても、達成可能である。
【００９４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９５】
また、通信端末装置１００、１００´、２００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【００９６】
〔補足２〕
実施形態１、２のように、Ｗ５２タイプおよびＷ５３タイプのＷＬＡＮ信号を利用することには、これらのタイプの信号が屋内専用であることの他に、以下のような利点がある。
【００９７】
電波は、一般的に、周波数が高いほど距離および遮蔽物による強度の減衰が大きいため、通信可能距離は短くなる。そのため、Ｗ５２タイプおよびＷ５３タイプ（周波数５０００ＭＨｚ台）の信号を検知した場合、それよりも低い周波数の信号（ＷＬＡＮでは周波数２４００ＭＨｚ台の信号も使用される）を検知した場合と比較して、通信端末装置１００、１００´、２００がＡＰのより近い位置にあると認識することが可能である。さらに、２４００ＭＨｚの信号は、電子レンジおよび医療機器でも使用されているため、これらからの信号を受信してしまう可能性がある。一方、Ｗ５２タイプおよびＷ５３タイプの信号ではこのような問題が生じない。
【００９８】
本発明は上述した実施形態に限定されるものではなく、請求項に示した範囲で種々の変更が可能であり、上記実施形態にそれぞれ開示された技術的手段を適宜組み合わせて得られる他の実施形態についても本発明の技術的範囲に含まれる。
【産業上の利用可能性】
【００９９】
本発明は、ＧＰＳ衛星信号を受信して測位を行う携帯電話機などの通信端末装置に広く適用することができる。
【符号の説明】
【０１００】
１００、１００´、２００  通信端末装置
１０１    ＧＰＳ受信部
１０２    ＷＬＡＮ送受信部（無線信号受信部）
１０３２  判定部（判定手段）
１０３３  現在位置取得部（現在位置取得手段）
１０３４  電源供給部（電源供給停止手段）
２０６    照度センサ（照度検出部）
Ｓ５    第１の判定ステップ
Ｓ５ａ、Ｓ１３    現在位置取得ステップ
Ｓ６      第３の判定ステップ
Ｓ７      第２の判定ステップ
Ｓ１１    電源供給停止ステップ
【図１】
2013200279.tif 000003
【図２】
2013200279.tif 000004
【図３】
2013200279.tif 000005
【図４】
2013200279.tif 000006
【図５】
2013200279.tif 000007
【図６】
2013200279.tif 000008
【図７】
2013200279.tif 000009
【図８】
2013200279.tif 000010
【図９】
2013200279.tif 000011